(57)【要約】【課題】ライン状に整列させた複数のＬＥＤ素子により、原稿をライン状に主走査する光源において、ＬＥＤ素子の交換、及び光量ムラを調整するためのＬＥＤ素子の位置調整を簡単に行う。【解決手段】基板１２における左右方向（副走査方向）の中央に、主走査方向に長い凹部６４を設け、その底部に相当する部分にマグネット６３を配設する。底面に鉄板６１を有するＬＥＤ素子１１を、凹部６４に係合させることで副走査方向の位置決めを行うとともに、磁力によって保持する。このとき、基板１２側のプラス，マイナスの電極６２ｄ，６２ｅに、ＬＥＤ素子１１側のプラス，マイナスの電極６０ｄ，６０ｅが接触して導通が図られる。ＬＥＤ素子１１を磁力で保持するため、基板１２に対する着脱や位置調整が容易である。【選択図】図１１
2008211711.tif 000002
【特許請求の範囲】
【請求項１】
原稿の画像面を主走査方向に照射するライン状の光源において、
前記主走査方向に整列されて前記光源を構成する複数の光源素子と、
前記主走査方向に長く形成され、前記複数の光源素子を整列状態で保持するとともに、前記複数の光源素子に電力を供給する基板と、を備え、
前記基板は、前記主走査方向に沿って配設された、磁石部材と磁性部材とのうちの一方を有し、
前記光源素子は、前記磁石部材と前記磁性部材とのうちの他方を有し、
前記複数の光源素子は、前記磁石部材と前記磁性部材との間に作用する磁力により、前記基板によって保持される、
ことを特徴とする光源。
【請求項２】
前記基板は、相互に間隙を介して前記主走査方向に沿って配設されたプラス電極とマイナス電極とを有し、
前記光源素子は、磁力によって前記基板に保持された際に、前記基板側の前記プラス電極と前記マイナス電極に接触する、プラス電極及びマイナス電極を有する、
ことを特徴とする請求項１に記載の光源。
【請求項３】
前記基板は、前記主走査方向に沿って長い位置決め凹部を有し、
前記光源素子は、前記位置決め凹部に係合されることで、前記副走査方向の位置決めがなされる、
ことを特徴とする請求項２に記載の光源。
【請求項４】
前記基板は、位置決め凹部の底部に前記磁石部材と前記磁性部材とのうちの一方が配設され、
前記光源素子は、前記一方に対面する面に前記磁石部材と前記磁性部材とのうちの他方が配設されている、
ことを特徴とする請求項３に記載の光源。
【請求項５】
前記光源素子が前記基板に磁力によって保持されて、前記基板側の前記プラス電極と前記マイナス電極とに、前記光源素子側の前記プラス電極と前記マイナス電極との接触した際に、前記磁石部材と前記磁性部材とのうちの、前記基板側の一方と前記光源素子側の他方とが非接触状態を維持する、
ことを特徴とする請求項４に記載の光源。
【請求項６】
原稿の画像面をライン状の長い光源によって主走査し、前記主走査方向に直交する方向に前記光源又は前記原稿を移動させて副走査することにより、前記光源から出射されて前記原稿の画像面で反射された反射光を結像レンズを通して固定撮像素子に導く画像読取装置において、
前記光源が、請求項１乃至５のいずれか１項に記載の光源である、
ことを特徴とする画像読取装置。
【請求項７】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項６に記載の画像読取装置が配設されている、
ことを特徴とする画像形成装置。
【発明の詳細な説明】
【技術分野】
【０００１】
本発明は、点光源である複数の光源素子をライン状に整列させて構成した光源、この光源を備えた画像読取装置、及び画像形成装置に関する。
【背景技術】
【０００２】
複写機，プリンタ，ファクシミリ等の画像形成装置においては原稿の画像を読み取るのに画像読取装置が使用される。この画像読取装置は、キセノンやハロゲン等の棒状の光源によって画像面を主走査しながら、光源又は原稿を主走査方向と直交する方向に副走査し、原稿からの反射光をミラー、結像レンズを介してＣＣＤ等の撮像素子に導くことで、画像面全体を読み取る。
【０００３】
特許文献１では、このような画像読取装置において、光源を、棒状のものに代えて、複数の光源素子（点光源）によって構成したものが提案されている。
【０００４】
このものは、ラインセンサの読取方向である主走査方向に対して平行に配列された複数の光源素子によって光源を構成している。これにより、光量の不均一性をなくし、コンパクトな構成とすることができ、また、部分的に生じた黒い画像（影）をなくして、コピー画像の品質を向上させることができる、としている。
【特許文献１】特開２００２−３１４７６０公報
【発明の開示】
【発明が解決しようとする課題】
【０００５】
しかしながら、上述の従来技術によると、複数の発光素子のうちの１つが破損したような場合、全体、又はブロックで、又は個別に交換することになるが、その交換作業が煩雑になるという問題がある。また、各発光素子よって照射された原稿面において光量ムラが生じた場合、各発光素子の光量調整を電気的な制御で行うことで対処するため、その調整及び制御が煩雑になるという問題もある。
【０００６】
そこで、本発明は、発光素子を個別に、しかも簡単に交換することができ、また、原稿面での光量ムラを容易に調整することができる光源、画像読取装置、及び画像形成装置を提供することを目的とするものである。
【課題を解決するための手段】
【０００７】
請求項１に係る発明は、原稿の画像面を主走査方向に照射するライン状の光源に関する。この発明に係る光源は、前記主走査方向に整列されて前記光源を構成する複数の光源素子と、前記主走査方向に長く形成され、前記複数の光源素子を整列状態で保持するとともに、前記複数の光源素子に電力を供給する基板と、を備え、前記基板は、前記主走査方向に沿って配設された、磁石部材と磁性部材とのうちの一方を有し、前記光源素子は、前記磁石部材と前記磁性部材とのうちの他方を有し、前記複数の光源素子は、前記磁石部材と前記磁性部材との間に作用する磁力により、前記基板によって保持される、ことを特徴としている。
【０００８】
請求項２に係る発明は、請求項１に係る光源において、前記基板は、相互に間隙を介して前記主走査方向に沿って配設されたプラス電極とマイナス電極とを有し、前記光源素子は、磁力によって前記基板に保持された際に、前記基板側の前記プラス電極と前記マイナス電極に接触する、プラス電極及びマイナス電極を有する、ことを特徴としている。
【０００９】
請求項３に係る発明は、請求項２に係る光源において、前記基板は、前記主走査方向に沿って長い位置決め凹部を有し、前記光源素子は、前記位置決め凹部に係合されることで、前記副走査方向の位置決めがなされる、ことを特徴としている。
【００１０】
請求項４に係る発明は、請求項３に係る光源において、前記基板は、位置決め凹部の底部に前記磁石部材と前記磁性部材とのうちの一方が配設され、前記光源素子は、前記一方に対面する面に前記磁石部材と前記磁性部材とのうちの他方が配設されている、ことを特徴としている。
【００１１】
請求項５に係る発明は、請求項４に係る光源において、前記光源素子が前記基板に磁力によって保持されて、前記基板側の前記プラス電極と前記マイナス電極とに、前記光源素子側の前記プラス電極と前記マイナス電極との接触した際に、前記磁石部材と前記磁性部材とのうちの、前記基板側の一方と前記光源素子側の他方とが非接触状態を維持する、ことを特徴としている。
【００１２】
請求項６に係る発明は、原稿の画像面をライン状の長い光源によって主走査し、前記主走査方向に直交する方向に前記光源又は前記原稿を移動させて副走査することにより、前記光源から出射されて前記原稿の画像面で反射された反射光を結像レンズを通して固定撮像素子に導く画像読取装置に関する。この発明に係る画像読取装置は、前記光源が、請求項１乃至５のいずれか１項に係る光源である、ことを特徴としている。
【００１３】
請求項７に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項６に係る画像読取装置が配設されている、ことを特徴としている。
【発明の効果】
【００１４】
請求項１の発明によれば、基板には、磁石部材と磁性部材とのうちの一方が主走査方向に配設され、一方、光源素子には他方が配設されているので、磁石部材と磁性部材との間に作用する磁力を利用して、基板により光源素子を保持することができる。このため、基板に対する光源素子の着脱が容易となり、さらに、基板に対する光源素子の、主走査方向の移動も容易となる。
【００１５】
請求項２の発明によれば、光源素子は、磁力を利用して基板に保持されることにより、プラス電極とマイナス電極とをそれぞれ基板側のプラス電極とマイナス電極とに接触させることができ、基板との導通を図ることができる。
【００１６】
請求項３の発明によれば、光源素子は、その位置決め凸部を、基板側の位置決め凹部に係合させることで、副走査方向の位置決めがなされる。さらに、基板側の位置決め凹部は、主走査方向に長く形成されているので、光源素子は、主走査方向に容易に位置調整することができる。
【００１７】
請求項４の発明によれば、基板には、その位置決め凹部の底部に、磁石部材と磁性部材とのうちの一方が配設されていて、光源素子は、位置決め凸部における位置決め凹部の底部に対面する面に他方が配設されているので、位置決め凸部を位置決め凹部に係合させることにより、磁力によって基板により保持される。
【００１８】
請求項５の発明によれば、光源素子は、磁石部材と磁性部材とが非接触の状態で基板によって保持されるとともに、この状態で相互の電極が接触するので、電極を確実に接触させることができる。
【００１９】
請求項６の発明によれば、光源は、画像読取装置の主要構成要素として、上述の効果を奏することができる。
【００２０】
請求項７の発明によれば、画像読取装置は、画像形成装置の主要構成要素として、上述の効果を奏することができる。
【発明を実施するための最良の形態】
【００２１】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２２】
＜実施形態１＞
図１を参照して、本発明に係る画像読取装置７を備えた、本発明に係る画像形成装置１について説明する。同図は、画像形成装置１を正面側（画像形成装置１の使用時にユーザが位置する側）から見た模式図である。ここで、画像形成装置１としては、複写機，プリンタ，ファクシミリ，及びこれらの複合機等が挙げられるが、以下では、画像形成装置１がプリンタである場合を例に説明する。
【００２３】
画像形成装置１には、図１に示すように、シート給送部２と、画像形成部３と、定着部４と、シート排出部５、画像読取部６とが設けてある。
【００２４】
シート給送部２には、シートＰの搬送方向に沿っての上流側からほぼ順に、給紙カセット２ａ、給紙ローラ２ｂ、給送ローラ２ｃ、リタードローラ２ｄ、搬送ローラ対２ｅ、レジストローラ対２ｆ等が配設されている。給紙カセット２ａ内に積層状態で収納された複数枚のシートＰは、その最上位のものが、給紙ローラ２ｂによって給紙され、給送ローラ２ｃ及びリタードローラ２ｄによって重送を防止されて１枚だけ下流側に給送される。さらには搬送ローラ対２ｅによって、停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００２５】
画像形成部３には、感光ドラム３ａ、帯電ローラ３ｂ、露光装置３ｃ、現像装置３ｄ、転写ローラ３ｅ、クリーニング装置３ｆ等が配設されている。感光ドラム３ａは、矢印方向（時計回り）に回転駆動され、その表面が帯電ローラ３ｂによって所定の極性・電位に一様に帯電される。帯電後の感光ドラム３ａは、露光装置３ｃによる露光を受け、露光部分の電荷が除去されて静電潜像が形成される。この露光は、後述する画像読取装置７によって読み取られた原稿の画像情報に基づいて行われる。感光ドラム３ａ上に形成された静電潜像は、現像装置３ｄによってトナーが付着されてトナー像として現像される。このトナー像は、感光ドラム３ａと転写ローラ３ｅとの間に形成される転写ニップ部において、上述のシート給送部２から供給されたシートＰに転写される。トナー像転写後の感光ドラム３ａは、表面に残ったトナー（転写残トナー）がクリーニング装置３ｆによって除去され、次の画像形成に供される。
【００２６】
定着部４には、定着ローラ４ａ、加圧ローラ４ｂが配設されている。定着ローラ４ａは、ヒータ（不図示）によって加熱されるとともに矢印方向（反時計回り）に回転する。一方、加圧ローラ４ｂは、定着ローラ４ａに押圧されて、定着ローラ４ａとの間に定着ニップ部を形成している。上述の画像形成部３で表面にトナー像が転写されたシートＰは、定着ニップ部を通過する際に、加熱・加圧されて表面にトナー像が定着される。
【００２７】
シート排出部５には、排紙ローラ対５ａと排紙トレイ５ｂとが配設されている。トナー像定着後のシートＰは、排紙ローラ対５ａによって、排紙トレイ５ｂ上に排出される。
【００２８】
画像読取部６には、画像読取装置７が配設されている。画像読取装置７は、コンタクトガラス１８上に画像面を下方に向けて載置された原稿（図６参照）を原稿押圧板１９によって上方から押圧して画像面をコンタクトガラス１８に密着させ、後述する光源１０によって画像面を照射し、そのときの反射光に基づいて画像を読み取るものである。
【００２９】
図２〜図５を参照して、画像読取装置７について説明する。ただし、これらの図においては、原稿押圧板１９は図示を省略している。図２〜図５のうち、図２，図３は、画像読取装置７の縦断面を正面側（前側）から見た図であり、さらに、図２は光学系を、また図３は駆動系を説明する図である。図４，図５は、光源１０と原稿のサイズと画像読取時の原稿の位置との関係を説明する上面図であり、さらに、図４は原稿サイズがＡ列，Ｂ列である場合を、また図５は原稿サイズがインチサイズである場合を示している。なお、以下の説明では、図２〜図５中における左右を、画像読取装置７の左右として、また図２，図３中における上下を、画像読取装置７の上下として、また図４，図５中における下、上をそれぞれ画像読取装置７の前、後として説明する。さらに、図４，図５中における原稿の上下方向の長さを通紙幅（又は単に「幅」）、左右方向の長さを搬送方向長さ（又は単に「長さ」）とする。
【００３０】
図３に示すように、画像読取装置７は、照明装置８と結像レンズ１３とＣＣＤ（固体撮像素子）１４とを備えている。さらに、照明装置８は、光源１０と駆動装置（移動装置）１５とを備えている。これら光源１０、駆動装置１５、照明装置８、結像レンズ１３、ＣＣＤ１４は、いずれも直方体状の筐体（フレーム）１６の内側に配設されている。筐体１６は、その上面に開口部１７を有していて、この開口部１７には、透明なコンタクトガラス１８が配設されている。コンタクトガラス１８の上方には、開閉自在な原稿押圧板１９（図１参照）が配設されている。原稿押圧板１９は、閉鎖状態では、コンタクトガラス１８上に載置された原稿を上方からコンタクトガラス１８の上面に押し付けるようになっている。一方、開放状態においては、コンタクトガラス１８に原稿を載置し、またコンタクトガラス１８上に載置された原稿を取り除くことができるようになっている。
【００３１】
図４，図５に示すように、コンタクトガラス１８は、その上面に載置されるシート状の原稿のうちの、サイズが最大の原稿よりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０１となっている。コンタクトガラス１８に載置される原稿は、その１つの角部、すなわち左端でかつ後端に位置する角部（基準の角部）をこの読取基準位置Ｐ０１に合わせた位置（所定の位置）に載置される。図４，図５においては、基準の角部を読取基準位置Ｐ０１に合わせた状態の種々のサイズの原稿を図示している。ここで、各サイズの原稿における、基準の角部の対角に相当する位置には、それぞれの原稿のサイズ、及び向きを表示してある。例えば、図４中のＢ５，Ａ４は、それぞれの原稿における「長辺」を左指示板２０に合わせたときの原稿の位置を示す。以下、これを原稿の「横置き」という。また、Ｂ５Ｒ，Ａ４Ｒは、それぞれの原稿における「短辺」を左指示板２０に合わせたときの原稿の位置を示している。以下、この「Ｒ」が付されたものを原稿の「縦置き」といって、「横置き」とは区別している。なお、これに従うと、図４中の「Ｂ４」，「Ａ３」については、本来、「Ｂ４Ｒ」，「Ａ３Ｒ」と表記すべきものであるが、これらのサイズの原稿は、横置きすることができず、つまり、一通りの置き方しかできず、区別する必要がないので、簡略化して表記している。
【００３２】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記がなされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿をコンタクトガラス１８上の所定の位置に載置したときに、その原稿サイズ及び向きを知ることができる。したがって、例えば、原稿の画像読取り結果に基づいて複写機やプリンタによって紙等のシート上に画像を形成するような場合には、画像形成に供されるシートのサイズや向きを選択する際の参考とすることができる。なお、図５中では、原稿サイズを、インチサイズで表示している。図４中のコンタクトガラス１８における、「Ａ４，Ａ３」の通紙幅よりも少し広い幅が、画像の最大読取幅（最大照射幅）となり、また図５中のコンタクトガラス１８における、「１１×１７」の搬送長さよりも少し長い範囲が、画像の最大読取長さ（最大照射長さ）となる。後述する光源１０は、最大読取幅と最大読取長さとに囲まれた最大読取領域全体を照射することができるようになっている。
【００３３】
図２〜図５に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１０と、凹面鏡２６と、第１ミラー２７が搭載されている。このうち光源１０は、図４，図５に示すように、前後方向の長さが、最大読取幅よりも長くなるように形成された基板１２と、その上面に取り付けられた光源素子（点光源）としての複数（本実施形態では２２個）のＬＥＤ素子１１とによって構成されている。なお、以下の説明では、ＬＥＤ素子１１を区別する場合には、ＬＥＤ素子Ｌ１〜Ｌ２２とする。ＬＥＤ素子１１（Ｌ１〜Ｌ２２）は前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面を光量ムラなく照射できる所定のピッチＰ（本実施形態では例えば１５ｍｍ）で整列されている。図４，図５において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図４に示す例では、通紙幅が最大のＡ４サイズの原稿の長辺（＝２９７ｍｍ）、又はＡ３サイズの原稿の短辺（＝２９７ｍｍ）が入るように、また図５に示す例では、長辺又は短辺の長さが１１インチ（≒２７９ｍｍ）の原稿の長辺又は短辺が入るように設定されている。複数のＬＥＤ素子Ｌ１〜Ｌ２２、及び基板１２によって構成された光源１０は、図２に示すように、コンタクトガラス１８の上面に設定されている読取ラインＬを右斜め下方から照射するようになっている。
【００３４】
図２に示すように、凹面鏡２６は、読取ラインＬから下ろした垂線ｈに対して、上述の光源１０とほぼ線対称の位置に配置されている。上述のように、光源１０は、コンタクトガラス１８上の原稿を右斜め下方から照射しているため、原稿の左端に影が形成されて、この影が前後方向の直線上の画像として読み込まれがちである。凹面鏡２６は、光源１０からの光を反射して読取ラインＬに導いて、この影を除去するためのものである。照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１０、凹面鏡２６、第１ミラー２７を搭載した状態で、左右方向に敷設したガイド部材２５に沿って左右方向に移動できる。つまり、ライン状（線状）の光源１０に対して、直交する方向に移動することができるようになっている。この照明用光学移動枠ユニット２３は、右方に移動しながら読取ラインＬに向けて光源１０から光を照射し、原稿の画像面からの反射光を次に説明する第２ミラー２８に導くものである。
【００３５】
図２，図３に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた状態で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設されたガイド部材２５に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３６】
図３に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図３中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図３中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長（光路Ｋの長さ）が一定に保持されて、次に説明する結像レンズ１３を通過した光がＣＣＤ１４上で像を結ぶようになっている。なお、本実施形態では、上述のように光源１０を移動させるための構成全体が駆動装置（移動装置）に相当する。
【００３７】
図３に示すように、結像レンズ１３は、上述のレンズ取付台４６に固定されたレンズ取付板４８上に固定されている。光源１０から照射された光は、原稿の画像面で反射されて、図２に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００３８】
ＣＣＤ１４は、その左端面に固定されて上端部５０が左方に折曲されたＣＣＤ取付板５１を介して、上述のレンズ取付台４６に固定する「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００３９】
図６に、上述の図２，図３で説明した画像読取装置７の概略を模式的に示す。同図に示すように、画像読取装置７は、コンタクトガラス１８に載置された原稿Ｇを、光源１０により読取ラインＬに沿って主走査しつつ、照明用光学移動枠ユニット２３及び反射用光学移動枠ユニット３０を右方に移動させることにより副走査方向に走査する。これにより、原稿Ｇの画像面全体を走査することができ、このときの反射光を、第１ミラー２７，第２ミラー２８，第３ミラー３２によって結像レンズ１３を介して、ＣＣＤ１４に導く。これにより、原稿Ｇの画像を読み取ることができる。この読取結果に基づいて、上述の露光装置３ｃにより感光ドラム３ａ上に静電潜像を形成するようになっている。
【００４０】
図７〜図１１を参照して、光源１０について詳述する。このうち、図７（ａ）は、光源素子としてのＬＥＤ素子１１を表面側（発光部）から見た図であり、（ｂ）は、ＬＥＤ素子１１を正面側から見た図である。図８は、基板１２を表面側（ＬＥＤ素子１１が取り付けられる側）から見た図である。図９は、図８中のＸ−Ｘ線矢視図である。図１０は、光源１０、すなわち基板１２及びこれによって保持された複数のＬＥＤ素子１１を表面側から見た図である。図１１は、図１０中のＹ−Ｙ線矢視図である。
【００４１】
本発明に係る光源１０は、複数のＬＥＤ素子１１と、これらを保持する基板１２とを備えていて、基板１２側に磁石部材と磁性部材とのうちの一方を配設し、ＬＥＤ素子１１側に他方を配設することで、磁力によって基板１２が複数のＬＥＤ素子１１を保持するようになっている。以下、この点について詳述する。
【００４２】
光源１０は、図１０，図１１に示すように、前後方向に長い基板１２と、この基板１２によって保持された複数のＬＥＤ素子１１とを備えている。この複数のＬＥＤ素子１１は、図４，図５では、ＬＥＤ素子Ｌ１〜Ｌ２２に対応している。
【００４３】
図７（ａ），（ｂ）に示すように、ＬＥＤ素子１１は、直方体状のチップＬＥＤ６０と、磁性部材としての強磁性部材である鉄板６１（「磁石部材と磁性部材とのうちの他方」に相当する）とを有している。チップＬＥＤ６０は、縦（前後方向），横（左右方向），厚さ（上下方向）の各寸法がこの順にａ１，ｂ１，ｔ１の直方体状に形成されている。チップＬＥＤ６０の上面６０ａの中央には、白色に発光する円形の発光部６０ｂが設けられている。チップＬＥＤ６０の下面６０ｃには、鉄板６１が取り付けられている。鉄板６１は、縦方向に長い直方体状に形成されていて、チップＬＥＤ６０の下面６０ｃにおける左右方向の中央に取り付けられている。鉄板の縦，横，厚さの各寸法ａ２，ｂ２，ｔ２については、寸法ａ２がチップＬＥＤ６０の寸法ａ１と同じであり、横及び厚さの寸法ｂ２，ｔ２は、いずれもチップＬＥＤの横及び厚さの寸法ｂ１、ｔ１よりも小さく設定されている。チップＬＥＤ６０の下面６０ｃにおける鉄板６１の左側に位置する部分には、チップＬＥＤ６０のプラスの電極（アノード）６０ｄが薄板状に露出され、また、鉄板６１の右側に位置する部分には、チップＬＥＤ６０のマイナスの電極（カソード）６０ｅが薄板状に露出されている。これら電極６０ｄ，６０ｅは、チップＬＥＤ６０の縦方向（前後方向）の全長にわたって配置されており、上述の鉄板６１との間には適度な間隙ｇ１が設けられていて、鉄板６１とは接触しないようになっている。
【００４４】
基板１２は、図８，図９に示すように、基板本体６２と、磁石部材であるマグネット６３（「磁石部材と磁性部材とのうちの一方」に相当する）とを有している。基板本体６２は、前後方向に長く形成されている。前後方向の長さが、最大通紙幅の原稿のその通紙幅よりも長くなるように設定されている。基板本体６２は、その左右方向の中央に、前後方向に長い凹部（位置決め凹部）６４が表裏方向に貫通するように形成されている。凹部６４は、表面側に位置する、左右幅の広い第１凹部６４ａと、裏面側に位置する、左右幅の狭い第２凹部６４ｂとによって構成されている。言い換えると、基板本体６２は、前後方向に長い額縁状の表面側部分６２ａと、同じく前後方向に長く、この表面側部分よりも内側の空間が小さい裏面側部分６２ｂとを上下方向に重ね合わせたような形状に形成されている。上述の第１凹部６４ａと第２凹部６４ｂとの間には、左段部６４ｃと右段部６４ｄとが形成されている。これら段部６４ｃ，６４ｄにおける水平部分は、左右方向の幅が狭く、かつ前後方向の長さが長い帯状に形成されている。左段部６４ｃの水平部分には、これをちょうど覆うように前後方向に長い、基板１２側のプラスの電極（アノード）６２ｄが薄板状に露出されている。同様に、右段部６４ｄの水平部分には、これをちょうど覆うように前後方向に長い、基板１２側のマイナスの電極（カソード）６２ｅが薄板状に露出されている。これら電極６２ｄ，６２ｅは、その左右幅が上述のＬＥＤ素子１１側の電極６０ｄ，６０ｅと同じに設定されており、また、前後方向に長さについては、図８に示すように、凹部６４の全長にわたって配置されるように設定されている。
【００４５】
上述のように、表面側の第１凹部６４ａと裏面側の第２凹部６４ｂとによって構成される凹部６４は、全体として、基板１２を表裏方向に貫通するように形成されていて、第２凹部６４ｂは、基板１２の下面に開口する開口部６４ｅを有している。基板１２の下面には、この開口部６４ｅを覆うように、磁石部材としてのマグネット６３（磁石部材と磁性部材とのうちの一方）が取り付けられている。マグネット６３は、薄板状に形成されていて、左右方向の幅及び前後方向の長さとも、開口部６４ｅのそれらよりも大きく設定されている。つまり、マグネット６３は、開口部６４ｅを下方から完全に閉蓋するように取り付けられている。ここで、第１凹部の前後方向，左右方向，上下方向（深さ方向）のそれぞれの寸法をこの順に、ａ３，ｂ３，ｔ３とし、同様に、第２凹部の前後方向，左右方向，上下方向（深さ方向）のそれぞれの寸法をこの順にａ４，ｂ４，ｔ４とすると、第１凹部６４ａ及び第２凹部６４ｂは、これらの間に、ａ３＝ａ４、ｂ３＞ｂ４、ｔ３＞ｔ４が成り立つように形成されている。
【００４６】
つづいて、上述のＬＥＤ素子１１と基板１２との寸法関係について説明する。なお、ここでは、説明を簡略化するために、ＬＥＤ素子１１側の電極６０ｄ，６０ｅ、及び基板１２側の電極６２ｄ，６２ｅは厚さがないものとして説明する。
【００４７】
ＬＥＤ素子１１のチップＬＥＤ６０は、基板１２側の第１凹部６４ａに対して、ｂ１＜ｂ３、ｔ１＞ｔ３に設定されており、また、ＬＥＤ素子１１側の鉄板６１は、基板１２側の第２凹部６４ｂに対して、ｂ２＜ｂ４、ｔ２＜ｔ４に設定されている。ここで、ｂ１とｂ３との差（ｂ３−ｂ１）は僅少であり、ｂ２とｂ４との差は、これと比較して大きいものとする。これにより、図１０，図１１に示すように、基板１２側の第１凹部６４ａに、ＬＥＤ素子１１側のチップＬＥＤ６０を係合させたときに、基板１２により、ＬＥＤ素子１１の左右方向の位置決めを行うことができる。また、この係合時に、ＬＥＤ素子１１側の鉄板６１が、基板１２側の電極６２ｄ，６２ｅに接触しないようにすることができる。さらに、ｔ１＞ｔ３であるため、係合時に、ＬＥＤ素子１１の上面６０ａ側が基板１２の上面から突出するようになる。この突出量を適宜に大きく設定することにより、基板１２に対するＬＥＤ素子１１の着脱時に、作業者は、ＬＥＤ素子１１の上部を指でつまむことができ、着脱の作業性が向上する。また、ｔ２＜ｔ４であるため、図１１に示すように、基板１２に対するＬＥＤ素子１１の係合時に、それぞれのプラスの電極６０ｄ，６２ｄ相互、及びマイナスの電極６０ｅ，６２ｅ相互が接触した状態において、鉄板６１とマグネット６３との間に間隙ｇ２を確保することができる。つまり、電極６０ｄ，６２ｄの接触，及び電極６０ｅ，６２ｅの接触が確実に行われるようになっている。上述の間隙ｇ２については、鉄板６１とマグネット６３との間に十分な磁力が作用して、基板１２によってＬＥＤ素子１１を確実に保持することができる程度とする。
【００４８】
また、本実施形態では、ＬＥＤ素子１１のチップＬＥＤ６０について、ａ１＝ｂ１である場合、つまり、上面視が正方形であった場合でも、ＬＥＤ素子１１側の鉄板６１の寸法ａ２が、基板１２側の第２凹部６４ｂの寸法ｂ４よりも大きいため、基板１２に対してＬＥＤ素子１１を係合させる際に、ＬＥＤ素子１１の向きを前後方向と左右方向とを誤った場合には、ＬＥＤ素子１１側の鉄板６１が第２凹部６４ｂに入らないので、適正に係合させることができない。つまり、基板１２に対してＬＥＤ素子１１の向きを間違えて取り付けるといった、取付不良を未然に防止することができる。なお、ＬＥＤ素子１１は、そのプラスの電極６０ｄが基板１２側のマイナスの電極６２ｅに、またそのマイナスの電極６０ｅが基板１２側のプラスの電極６２ｄに接続された場合には、正常に点灯しないので、このような不良を防止すべく、例えば、ＬＥＤ素子１１におけるマイナスの電極６０ｅ側の一部に、マイナス側であることを知らしめるための切欠等（不図示）を設けるようにするとよい。
【００４９】
上述構成の光源１０によれば、マグネット６３（磁石部材と磁性部材とのうちの一方）を基板１２側に設け、鉄板６１（磁石部材と磁性部材とのうちの他方）をＬＥＤ素子１１側に設けて、両者の磁力によって、基板１２によりＬＥＤ素子１１を保持することができるので、基板１２に対するＬＥＤ素子１１の着脱（取り付け、取り外し）が容易である。また、ＬＥＤ素子１１及び基板１２の電極６０ｄ，６０ｅ，６２ｄ，６２ｅを上述のように構成したので、磁力により、基板１２に対してＬＥＤ素子１１を保持させることにより、電極６０ｄ，６０ｅ，６２ｄ，６２ｅを接触させて、基板１２とＬＥＤ素子１１との導通を図ることができる。また、基板１２の前後方向の任意の位置にＬＥＤ素子１１を装着することができ、ＬＥＤ素子１１の前後方向の位置調整が容易である。
【００５０】
以上のような効果から、さらに次のような効果を導くことができる。複数のＬＥＤ素子１１をライン状に並べることで、光源１０を構成する場合、従来の棒状の光源と異なり、光源１０の長手方向（前後方向）に光量ムラが発生しやすい。これに対し、本発明に係る光源１０は、ＬＥＤ素子１１の前後方向の位置調整が容易であるので、各ＬＥＤ素子１１の前後方向の位置を調整して、光量ムラを低減することができる。また、ＬＥＤ素子１１として白色のものを使用した場合でも、個体によって、その光量や色味が微妙に異なる。例えば、色味については、赤みがかったものから青みがかったものまで、いくつかのグループに分類される。このような場合、複数のＬＥＤ素子１１を使用して１つの光源１０を構成する際には、同じグループのＬＥＤ素子１１を使用することが好ましい。本実施形態では、実際に複数のＬＥＤ素子１１を基板１２に装着して光源１０を構成し、それを点灯したときに、ＬＥＤ素子１１のうちの色味の異なるものがあった場合には、簡単にそれを同じ色味のものに交換することができる。
【００５１】
また、以上の実施形態では、ＬＥＤ素子１１側に鉄板６１を設け、基板１２側にマグネット６３を設けたが、この逆にＬＥＤ素子１１側にマグネットを設け、基板１２側に鉄板を設けるようにしてもよい。
【産業上の利用可能性】
【００５２】
上述では、本発明の光源を、画像読取装置や画像形成装置で使用する場合を例に説明したが、本発明に係る光源は、これに限定されず、ディスプレイ等の照明装置にも適用することができる。
【図面の簡単な説明】
【００５３】
【図１】画像形成装置の縦断面を正面側（前側）から見て模式的に示す図である。
【図２】画像読取装置の縦断面を正面側（前側）から見た図であり、光学系を説明する図である。
【図３】画像読取装置の縦断面を正面側（前側）から見た図であり、駆動系を説明する図である。
【図４】光源１０と原稿のサイズと画像読取時の原稿の位置との関係を説明する上面図であり、原稿サイズがＡ列，Ｂ列である場合を説明する図である。
【図５】光源１０と原稿のサイズと画像読取時の原稿の位置との関係を説明する上面図であり、原稿サイズがインチサイズである場合を説明する図である。
【図６】画像読取装置の縦断面を正面側（前側）から見て模式的に示す図である。
【図７】（ａ）は光源素子としてのＬＥＤ素子１１を表面側（発光面側）から見た図であり、（ｂ）はＬＥＤ素子１１を正面側から見た図である。
【図８】基板１２を表面側（ＬＥＤ素子１１が取り付けられる側）から見た図である。
【図９】図８中のＸ−Ｘ線矢視図である。
【図１０】光源１０を表面側から見た図である。
【図１１】図１０中のＹ−Ｙ線矢視図である。
【符号の説明】
【００５４】
１……画像形成装置、２……シート給送部、３……画像形成部、４……定着部、５……シート排出部、６……画像読取部、７……画像読取装置、１０……光源、１１……ＬＥＤ素子（光源素子）、１２……基板、１３……結像レンズ、１４……ＣＣＤ（個体撮像素子）、６１……鉄板（磁性部材）、６３……マグネット（磁石部材）、６０ｄ……ＬＥＤ素子のプラスの電極、６０ｅ……ＬＥＤ素子のマイナスの電極、６２ｄ……基板のプラスの電極、６２ｅ……基板のマイナスの電極、６４……凹部（位置決め凹部）、Ｇ……原稿、
【図１】
2008211711.tif 000003
【図２】
2008211711.tif 000004
【図３】
2008211711.tif 000005
【図４】
2008211711.tif 000006
【図５】
2008211711.tif 000007
【図６】
2008211711.tif 000008
【図７】
2008211711.tif 000009
【図８】
2008211711.tif 000010
【図９】
2008211711.tif 000011
【図１０】
2008211711.tif 000012
【図１１】
2008211711.tif 000013